(57)【要約】【課題】情報の書き込み及び読み出しを非常に簡単なユーザインタフェースで行うことができる近接型の通信（ＮＦＣ通信）装置を提供する。【解決手段】携帯端末３は、近接通信により情報の通信を行うＮＦＣ通信装置３-２と、書込ボタン３-５と、読出ボタン３-６とを備えている。携帯端末３から外部機器２に対して情報の書き込みを行う場合には、ユーザは、書込ボタン３-５を押した状態で、携帯端末３を情報提供装置２に１０ｃｍ程度まで近接させる。また、外部機器２から携帯端末３に情報を読み出す場合には、ユーザは、読出ボタン３-６を押した状態で、携帯端末３を情報提供装置２に１０ｃｍ程度まで近接させる。以上のような操作をすると、携帯端末３と外部機器２との間で情報が自動転送される。【選択図】図２
2005045557.tif 000002
【特許請求の範囲】
【請求項１】
電磁波の送出により情報発信する通信相手及びアンテナの負荷の切り換えにより情報発信する通信相手の両者と情報の交信が可能な無線通信方式により通信を行う通信装置において、
アンテナと、
上記アンテナに流れる電流を検出して外部機器から発信された情報を復調する受信復調手段と、
上記外部機器に対して発信する情報を搬送波に変調し、変調した信号に応じた電流により上記アンテナを駆動する変調送信手段と、
上記受信復調手段及び上記変調送信手段による情報の送信及び情報の受信の制御を行う送受信制御手段と、
情報を格納する記憶手段と、
ユーザにより操作制御が行われる操作制御手段とを備え、
上記操作制御手段は、当該通信装置の状態を送信ステート又は取得ステートに設定する設定部を有しており、
上記送受信制御手段は、上記送信ステートに設定されており且つ任意の外部機器との間で通信可能となったときに、上記記憶手段に格納されている情報を送信し、
上記取得ステートに設定されており且つ任意の外部機器との間で通信可能となったときに、当該任意の外部機器から送信された情報を取得して上記記憶手段に格納すること
を特徴とする通信装置。
【請求項２】
上記操作制御手段には、状態を送信ステートに設定する筐体外部に設けられた第１の押下ボタンと、状態を取得ステートに設定する筐体外部に設けられた第２の押下ボタンとを有すること
を特徴とする請求項１記載の通信装置。
【請求項３】
上記操作制御手段には、表示部と、当該表示部に表示されているソフトウェアボタンを操作する入力部とを有し、
上記表示部には、状態を送信ステートに設定する第１のソフトウェアボタンと、状態を取得ステートに設定する第２のソフトウェアボタンとが表示されていること
を特徴とする請求項１記載の通信装置。
【請求項４】
上記操作制御手段は、
当該通信装置の移動を検出する移動検出部を有し、
任意の外部機器との間で通信可能となった後に、当該通信装置が第１の方向に移動した場合には上記送信ステートに設定されて上記記憶手段に格納されている情報を送信し、
任意の外部機器との間で通信可能となった後に、当該通信装置が第１の方向とは反対の第２の方向に移動した場合には上記取得ステートに設定されて当該任意の外部機器から送信された情報を取得して上記記憶手段に格納すること
を特徴とする請求項１記載の通信装置。
【請求項５】
電磁波の送出により情報発信する通信相手及びアンテナの負荷の切り換えにより情報発信する通信相手の両者と情報の交信が可能な無線通信方式により通信を行う通信装置において、
アンテナと、
上記アンテナに流れる電流を検出して外部機器から発信された情報を復調する受信復調手段と、
上記外部機器に対して発信する情報を搬送波に変調し、変調した信号に応じた電流により上記アンテナを駆動する変調送信手段と、
上記受信復調手段及び上記変調送信手段による情報の送信及び情報の受信の制御を行う送受信制御手段と、
情報を格納する記憶手段と、
ユーザにより操作制御が行われる操作制御手段とを備え、
上記操作制御手段は、当該通信装置の状態を送信ステートに設定する設定部を有しており、
上記送受信制御手段は、上記送信ステートに設定され且つ任意の外部機器との間で通信可能となったときに、上記記憶手段に格納されている情報を送信すること
を特徴とする通信装置。
【請求項６】
電磁波の送出により情報発信する通信相手及びアンテナの負荷の切り換えにより情報発信する通信相手の両者と情報の交信が可能な無線通信方式により通信を行う通信装置において、
アンテナと、
上記アンテナに流れる電流を検出して外部機器から発信された情報を復調する受信復調手段と、
上記外部機器に対して発信する情報を搬送波に変調し、変調した信号に応じた電流により上記アンテナを駆動する変調送信手段と、
上記受信復調手段及び上記変調送信手段による情報の送信及び情報の受信の制御を行う送受信制御手段と、
情報を格納する記憶手段と、
ユーザにより操作制御が行われる操作制御手段とを備え、
上記操作制御手段は、当該通信装置の状態を取得ステートに設定する設定部を有しており、
上記送受信制御手段は、上記取得ステートに設定されており且つ任意の外部機器との間で通信可能となったときに、当該任意の外部機器から送信された情報を取得して上記記憶手段に格納すること
を特徴とする通信装置。
【請求項７】
電磁波の送出により情報発信する通信相手及びアンテナの負荷の切り換えにより情報発信する通信相手の両者と情報の交信が可能な無線通信方式により通信を行う通信装置において、
アンテナと、
上記アンテナに流れる電流を検出して外部機器から発信された情報を復調する受信復調手段と、
上記外部機器に対して発信する情報を搬送波に変調し、変調した信号に応じた電流により上記アンテナを駆動する変調送信手段と、
上記受信復調手段及び上記変調送信手段による情報の送信及び情報の受信の制御を行う送受信制御手段と、
情報を格納する記憶手段と、
ユーザにより操作制御が行われる操作制御手段とを備え、
上記操作制御手段は、当該通信装置の状態を許可ステート又は禁止ステートに設定する設定部を有しており、
上記送受信制御手段は、上記許可ステートに設定されているときには、外部機器からの情報の取得要求又は情報の書込み要求を許可し、上記情報の取得要求に応じて上記記憶手段に格納されている情報を上記外部機器に送信し、上記情報の書込み要求に応じて上記記憶手段に外部機器から送信された情報を書き込み、
上記禁止ステートに設定されているときには、外部機器からの情報の取得要求又は情報の書込み要求を許可せず、上記情報の取得要求に応じた上記記憶手段に格納されている情報の送信を禁止し、上記情報の書込み要求に応じた上記記憶手段への書き込みを禁止すること
を特徴とする通信装置。
【請求項８】
電磁波の送出により情報発信する通信相手及びアンテナの負荷の切り換えにより情報発信する通信相手の両者と情報の交信が可能な無線通信方式により通信を行う通信装置において、
アンテナと、
上記アンテナに流れる電流を検出して外部機器から発信された情報を復調する受信復調手段と、
上記外部機器に対して発信する情報を搬送波に変調し、変調した信号に応じた電流により上記アンテナを駆動する変調送信手段と、
上記受信復調手段及び上記変調送信手段による情報の送信及び情報の受信の制御を行う送受信制御手段と、
情報を格納する記憶手段と、
ユーザにより操作制御が行われる操作制御手段とを備え、
上記操作制御手段は、当該通信装置の状態を許可ステートに設定する設定部を有しており、
上記送受信制御手段は、上記許可ステートに設定されているときには、外部機器からの情報の取得要求又は情報の書込み要求を許可し、上記情報の取得要求に応じて上記記憶手段に格納されている情報を上記外部機器に送信し、上記情報の書込み要求に応じて上記記憶手段に外部機器から送信された情報を書き込むこと
を特徴とする通信装置。
【請求項９】
電磁波の送出により情報発信する通信相手及びアンテナの負荷の切り換えにより情報発信する通信相手の両者と情報の交信が可能な無線通信方式により通信を行う通信装置において、
アンテナと、
上記アンテナに流れる電流を検出して外部機器から発信された情報を復調する受信復調手段と、
上記外部機器に対して発信する情報を搬送波に変調し、変調した信号に応じた電流により上記アンテナを駆動する変調送信手段と、
上記受信復調手段及び上記変調送信手段による情報の送信及び情報の受信の制御を行う送受信制御手段と、
情報を格納する記憶手段と、
ユーザにより操作制御が行われる操作制御手段とを備え、
上記操作制御手段は、当該通信装置の状態を禁止ステートに設定する設定部を有しており、
上記送受信制御手段は、上記禁止ステートに設定されているときには、外部機器からの情報の取得要求又は情報の書込み要求を許可せず、上記情報の取得要求に応じた上記記憶手段に格納されている情報の送信を禁止し、上記情報の書込み要求に応じた上記記憶手段への書き込みを禁止すること
を特徴とする通信装置。
【発明の詳細な説明】
【技術分野】
【０００１】
本発明は、近接型の無線通信を行う通信装置に関する。
【背景技術】
【０００２】
携帯電話，ＰＤＡ，ノート型コンピュータ等の携帯端末の機能が発達し、多くの携帯端末に無線によるデータ通信機能が設けられるようになってきたが、本発明者は、これらの携帯端末に非接触ＩＣカード技術に適用されている近接型の無線通信インターフェースを適用することを提案している（非特許文献１）。携帯端末に近接型の無線通信インターフェースを適用することによって、携帯端末自体に非接触ＩＣカードと同様の機能を持たせるのみならず、携帯端末をリーダ/ライタとして動作させて他の機器との通信を行うことが可能となる。
【０００３】
ところで、携帯端末がリーダ/ライタとなった場合には、ＩＣカードとは異なり、他機器との通信を行う場合には当該携帯端末を他機器に近接させるとともに何らかの操作入力が必要となる。しかしながら、携帯端末は、小型でありその操作がしづらく、特に他機器と近接させた状態での操作はユーザに大きな負担を与えてしまうことが考えられる。
【０００４】
【非特許文献１】松尾隆史，「非接触ＩＣカード技術「ＦｅｌｉＣａ」の概要」，インターフェース，ＣＱ出版株式会社，２００３年３月，ｐ．６６−７５
【発明の開示】
【発明が解決しようとする課題】
【０００５】
本発明は、このような問題点を解決するものであり、電磁波の送出により情報発信する通信相手及びアンテナの負荷の切り換えにより情報発信する通信相手の両者と情報の交信が可能な無線通信方式により通信を行う通信装置において、簡単な操作で情報の読み出し及び書き込みを行うことが可能な通信装置を提供することを目的とする。
【課題を解決するための手段】
【０００６】
本発明に係る通信装置は、電磁波の送出により情報発信する通信相手及びアンテナの負荷の切り換えにより情報発信する通信相手の両者と情報の交信が可能な無線通信方式により通信を行う通信装置であって、アンテナと、上記アンテナに流れる電流を検出して外部機器から発信された情報を復調する受信復調手段と、上記外部機器に対して発信する情報を搬送波に変調し、変調した信号に応じた電流により上記アンテナを駆動する変調送信手段と、上記受信復調手段及び上記変調送信手段による情報の送信及び情報の受信の制御を行う送受信制御手段と、情報を格納する記憶手段と、ユーザにより操作制御が行われる操作制御手段とを備えている。
【０００７】
本発明に係る通信装置は、上記操作制御手段に当該通信装置の状態を送信ステート又は取得ステートに設定する設定部を有しており、上記送受信制御手段は、上記送信ステートに設定されており且つ任意の外部機器との間で通信可能となったときに、上記記憶手段に格納されている情報を上記任意の外部機器に送信し、上記取得ステートに設定されており且つ任意の外部機器との間で通信可能となったときに、当該任意の外部機器から送信された情報を取得して上記記憶手段に格納する。
【０００８】
上記通信装置では、上記記憶手段に格納されている情報を外部機器に送信する場合には、送信ステートに設定し、且つ、上記任意の外部機器と当該通信機器との距離を通信可能に接近させる。また、上記通信装置では、任意の外部機器から情報を取得して上記記憶手段に格納するには、取得ステートに設定し、且つ、上記任意の外部機器と当該通信機器との距離を通信可能に接近させる。
【０００９】
また、本発明に係る通信装置は、さらに、筐体外部に設けられ状態を送信ステートに設定する第１の押下ボタンと、筐体外部に設けられ状態を取得ステートに設定する第２の押下ボタンとが設けられている。
【００１０】
上記通信装置では、上記記憶手段に格納されている情報を外部機器に送信する場合には、第１の押下ボタンを押した状態で上記任意の外部機器と当該通信機器との距離を通信可能に接近させる。また、上記通信装置では、任意の外部機器から情報を取得して上記記憶手段に格納するには、第２の押下ボタンを押した状態で上記任意の外部機器と当該通信機器との距離を通信可能に接近させる。
【００１１】
上記操作制御手段は、表示部と、当該表示部に表示されているソフトウェアボタンを操作する入力部とを有し、表示部には、状態を送信ステートに設定する第１のソフトウェアボタンと状態を取得ステートに設定する第２のソフトウェアボタンとが表示されていてもよい。
【００１２】
上記操作制御手段は、当該通信装置の移動を検出する移動検出部を有し、任意の外部機器との間で通信可能となった後に、当該通信装置が第１の方向に移動した場合には上記送信ステートに設定されて上記記憶手段に格納されている情報を送信し、任意の外部機器との間で通信可能となった後に、当該通信装置が第１の方向とは反対の第２の方向に移動した場合には上記取得ステートに設定されて当該任意の外部機器から送信された情報を取得して上記記憶手段に格納してもよい。
【００１３】
また、本発明に係る通信装置は、上記操作制御手段に当該通信装置の状態を許可ステート又は禁止ステートに設定する設定部を有しており、上記送受信制御手段は、上記許可ステートに設定されているときには、外部機器からの情報の取得要求又は情報の書込み要求を許可し、上記情報の取得要求に応じて上記記憶手段に格納されている情報を上記外部機器に送信し、上記情報の書込み要求に応じて上記記憶手段に外部機器から送信された情報を書き込み、上記禁止ステートに設定されているときには、外部機器からの情報の取得要求又は情報の書込み要求を許可せず、上記情報の取得要求に応じた上記記憶手段に格納されている情報の送信を禁止し、上記情報の書込み要求に応じた上記記憶手段への書き込みを禁止する。
【発明の効果】
【００１４】
本発明に係る通信装置では、当該通信装置の記憶手段に格納されている情報を外部機器に送信する場合には、送信ステートに設定した状態で任意の外部機器と当該通信機器との距離を通信可能に接近させ、任意の外部機器から情報を取得して当該通信装置の記憶手段に格納するには、取得ステートに設定した状態で任意の外部機器と当該通信機器との距離を通信可能に接近させる。このことにより本発明に係る通信装置では、外部機器に情報を書き込む動作と外部機器から情報を読み出す動作とを明確に切り換えることができ、さらに、外部機器と近接させた状態で入力操作を行わなくてもよいので非常に簡単に情報の書き込み及び読み出しを行うことができる。
【００１５】
また、本発明に係る通信装置では、当該通信装置の記憶手段に格納されている情報を外部機器に送信する場合には、第１の押下ボタンを押した状態で任意の外部機器と当該通信機器との距離を通信可能に接近させ、任意の外部機器から情報を取得して当該通信装置の記憶手段に格納するには、第２の押下ボタンを押した状態で任意の外部機器と当該通信機器との距離を通信可能に接近させる。このことにより本発明に係る通信装置では、外部機器に情報を書き込む動作と外部機器から情報を読み出す動作とを明確に切り換えることができ、さらに、例えば片手で当該通信機器を持った状態でも書き込み及び読み出しを行うことができる。
【発明を実施するための最良の形態】
【００１６】
発明を実施するための最良の形態として、本発明を適用したデータ転送システムについて説明をする。
【００１７】
図１に、本発明を適用したデータ転送システム１の概念図を示し、図２に本発明を適用したデータ転送システムのブロック構成図を示す。
【００１８】
本発明を適用したデータ転送システム１は、図１及び図２に示すように、例えばテレビジョン等の情報提供装置２と、持ち運びが可能な情報処理装置である携帯端末３（例えば携帯電話）とから構成される。
【００１９】
情報提供装置２は、図２に示すように、映像や音楽等を出力するコンテンツ出力部２-１と、他機器との間で近接通信方式（以下、ＮＦＣ（Near Field Communication）通信方式という。）で通信を行うＮＦＣ通信装置２-２と、情報を格納する情報格納部２-３と、これらの各部を制御する制御部２-４とを備えている。また、携帯端末３は、その携帯端末３の主機能となる情報処理部（例えば、電話機能）３-１と、他機器との間でＮＦＣ通信方式で通信を行うＮＦＣ通信装置３-２と、情報を格納する情報格納部３-３と、これらの各部を制御する制御部３-４とを備えている。なお、ＮＦＣ通信方式とは、所定の距離（例えば１０ｃｍ程度）以下の装置間距離で通信が可能となる無線通信方式であるが、その詳細については後述する。
【００２０】
また、携帯端末３には、当該携帯端末３のＮＦＣ通信による通信状態を情報送信状態に設定する書込ボタン（PUSHボタン）３-５と、当該携帯端末３のＮＦＣ通信による通信状態を情報受信状態に設定する読出ボタン（PULLボタン）３-６とが設けられている。
【００２１】
書込ボタン３-５及び読出ボタン３-６は、図１に示すように、携帯端末３の筐体の例えば主面に設けられている。書込ボタン３-５及び読出ボタン３-６は、モーメンタリ型の押下スイッチであり、ユーザが筐体を片手で把持した状態でも親指で押圧操作が可能なように配置されている。携帯端末３では、例えば、筐体の各種操作ボタンが形成されている面の略中央位置に、書込ボタン３-５及び読出ボタン３-６が並んだ状態で配置されている。従って、ユーザは、いずれか一方のボタンを押したままの状態で、携帯端末３を片手で保持して任意の場所に移動させることができる。
【００２２】
ここで、本発明を適用したデータ転送システム１では、ＮＦＣ通信を用いて、携帯端末３の情報格納部３-３から情報提供装置２の情報格納部２-３に情報の転送が可能とされている。つまり、携帯端末３は、情報提供装置２に対してＮＦＣ通信により情報の書き込みが可能とされている。また、本発明を適用したデータ転送システム１では、ＮＦＣ通信を用いて、情報提供装置２の情報格納部２-３から携帯端末３の情報格納部３-３に情報の転送が可能とされている。つまり、携帯端末３は、情報提供装置２からＮＦＣ通信により情報の読み出しが可能とされている。
【００２３】
携帯端末３から情報提供装置２に対して情報の書き込みを行う場合、ユーザは、図３に示すように、書込ボタン（PUSHボタン）３-５を押した状態で、携帯端末３を情報提供装置２に近接させる。なお、近接とは、ＮＦＣ通信により情報提供装置２と携帯端末３とがＮＦＣ通信により通信を行うことができる距離及び場所に移動させる動作である。また、書込ボタン３-５を押した後に近接させてもよいし、近接させた後に書込ボタン３-５を押してもよい。
【００２４】
このような動作を行うことによって、携帯端末３から情報提供装置２へ必要な情報が自動転送される。転送する情報は、上述の動作を行う前に携帯端末３側で設定してもよいし、情報提供装置２側で予め取得する情報が設定されていてもよい。情報提供装置２側で予め取得する情報が設定されている場合には、携帯端末３の情報格納部３-３に格納されている情報のうち、必要な情報のみが、情報提供装置２に書き込まれる。
【００２５】
また、携帯端末３が情報提供装置２から情報の読み出しを行う場合には、ユーザは、図４に示すように、読出ボタン（PULLボタン）３-６を押した状態で、携帯端末３を情報提供装置２に近接させる。なお、読出ボタン３−６を押した後に近接させてもよいし、近接させた後に読出ボタン３−６を押してもよい。
【００２６】
このような動作を行うことによって、情報提供装置２から携帯端末３へ必要な情報が自動転送される。転送する情報は、上述の動作を行う前に携帯端末３側で設定してもよいし、情報提供装置２側で予め送出する情報が設定されていてもよい。
【００２７】
以上のように携帯端末３は、当該携帯端末３のＮＦＣ通信による通信状態を情報の送信状態に設定するユーザインターフェース（書込ボタン３-５）並びに当該携帯端末３のＮＦＣ通信による通信状態を情報の受信状態に設定するユーザインターフェース（読出ボタン３-６）とが設けられている。従って、携帯端末３では、通信相手と近接状態となった際にすぐに情報の書き込み及び読み出しができるため、簡単な操作で情報の読み出し及び書き込みを行うことが可能となる。特に、書込ボタン３-５及び読出ボタン３-６の場合には、非常にシンプルな動作で設定を行うことができるため、ユーザの負担が特に軽減する。
【００２８】
つぎに、情報提供装置２及び携帯端末３に備えられているＮＦＣ通信装置及びその通信方式であるＮＦＣ通信方式について説明をする。
【００２９】
図５に、ＮＦＣ通信方式で通信を行う通信システムの構成例を示す。
【００３０】
ＮＦＣ通信方式は、図５に示すように、２つの装置１０，２０間での双方向無線通信方式である。
【００３１】
ＮＦＣ通信方式は、図５に示すように、２つのＮＦＣ通信装置同士の距離がある一定の距離（通信可能距離）以内（例えば、１０ｃｍ以内や５０ｃｍ以内等）となったときに、通信が可能となる通信方式である。通信可能距離は、ユーザが２つのＮＦＣ通信装置同士を積極的に近接させる動作を行わなければ、その距離にならない程度の距離である。ユーザがＮＦＣ通信装置同士を積極的に近接させる動作並びに通信可能距離は、そのＮＦＣ通信装置が適用される機器の機能や性質によっても異なる。例えば、ユーザが片手で持てる程度の小型軽量の携帯機器に適用するのであれば、ＮＦＣ通信装置同士を約１０ｃｍ以内に近づける動作が積極的に近接させる動作といえるし、セキュリティのために通過ゲートをくぐる際にユーザの所有カードとそのゲートセキュリティ装置とが通信するのであれば、装置同士が約５０ｃｍ程度に近づける動作が積極的に近接させる動作といえる。
【００３２】
また、ＮＦＣ通信方式は、所定の搬送波の電磁波に対してデジタルデータを変調して送信し、アンテナによりその電磁波を受信して、その受信信号に変調されているデジタルデータを復調するといった処理が行われる無線通信方式である。ＮＦＣ通信方式は、２つの装置が送信する電磁波に共通の周波数を用いて半二重方式で通信を行ってもよいし、他方が送信する周波数を変えて全二重方式で通信を行ってもよい。ＮＦＣ通信方式で用いる搬送波周波数は、例えば、ISM(Industrial Scientific Medical)バンドの13.56MHzなどである。
【００３３】
また、ＮＦＣ通信方式では、アクティブモードとパッシブモードとの２つのモードでデータ送信が可能とされた通信方式でもある。アクティブモードとは、送信側がアンテナの電力供給を行うことによりデジタルデータを変調した電磁波を発信し、受信側にその電磁波を受信させる方式である。パッシブモードとは、受信側がループアンテナから所定の周波数の磁界（情報が変調されていない磁界）を発生し、送信側が自身のループアンテナの負荷の値をデジタルデータに応じて切り換えることによって、受信側のループアンテナに流れる電流を変化させることによって、送信側から受信側にデジタルデータを送信する方式である。つまり、パッシブモードは、負荷変調方式でデータを送信するモードである。また、ＮＦＣ通信方式では、アクティブモードでもパッシブモードでも同一のデジタル変調方式を採用し、復調器を共用化している。すなわち、ＮＦＣ通信方式では、パッシブモードでも変調が可能なデジタル変調方式（例えばＡＳＫ、ＰＳＫ、ＱＡＭ変調等）が用いられる。
【００３４】
また、ＮＦＣ通信方式では、パッシブモードで情報を送信する場合及びアクティブモードで送信された情報を受信する場合には、受信した電磁波から電磁誘導により電力供給を受け、内部の電気回路を動作させることが可能となる通信方式でもある。従って、アクティブモードで情報を送信する場合には、相手方が内部電力を有さないことを前提として、上記の通信距離内で充分な電力を供給できるように、充分な送信電力が確保される。
【００３５】
以上がＮＦＣ通信方式の物理的な特徴である。
【００３６】
このようなＮＦＣ通信方式が適用される装置はどのような装置であってもよい。例えば、ユーザにより持ち運びが可能な情報処理装置、パーソナルコンピュータ、大型コンピュータ、携帯電話機、ノート型コンピュータ等である。さらに、ＮＦＣ通信方式は、一方の通信装置に電源を備えていなくてもよいため（パッシブモードで送信でき、且つ、受信電波電力に基づき電力供給を行うことができるため）、例えば、カード状の記憶媒体、壁掛け広告、吊広告等々、様々な物にＮＦＣ通信装置を適用することが可能である。
【００３７】
つぎに、ＮＦＣ通信装置１０の具体的な構成について図６を参照して説明をする。
【００３８】
ＮＦＣ通信装置１０は、ループアンテナ１１を備えている。
【００３９】
ループアンテナ１１は、閉ループのコイルを構成している。ループアンテナ１１は、閉ループを流れる電流が変化することで電磁波を外部に放射する。また、ループアンテナ１１は、外部から入射される電磁波や磁界によって閉ループ内を通過する磁束密度が変化することで、その閉ループに電磁波や磁界の強さに応じた電流が流れる。
【００４０】
また、ＮＦＣ通信装置１０は、ループアンテナ１１に流れる電流を同調及び検波し、検波した信号から符号列を復調する受信/復調部１２と、受信/復調部１２により復調された符号列に対してデコード処理を行うデコーダ１３とを備えている。
【００４１】
受信/復調部１２は、ループアンテナ１１に流れる電流を受信し、受信した信号に対して同調及び検波を行う。また、受信/復調部１２は、同調及び検波した信号に対して、所定の変調方式（例えばＡＳＫ、ＰＳＫ、ＱＡＭ変調等）に対応した復調処理を行って符号列を生成する。受信/復調部１２から出力された符号列は、デコーダ１３に供給される。デコーダ１３は、入力された符号列に対して、例えば、マンチェスタ符号、モディファイドミラーやＮＲＺ等に対応したデコード処理を行って受信データを生成し、生成した受信データを出力する。受信データは、当該ＮＦＣ通信装置が適用されている機器のデータ処理部等に供給される。
【００４２】
また、ＮＦＣ通信装置１０は、入力された送信データに対してエンコード処理を行い符号列を生成するエンコーダ１４と、符号列に応じて変調及び送信を行う変調/送信部１５と、符号列に応じて負荷変調を行う負荷変調部１６と、搬送波信号電力を発生する搬送波出力部１７とを備えている。
【００４３】
ＮＦＣ通信装置１０は、当該ＮＦＣ通信装置が適用されている機器のデータ処理部等から、送信相手に送信するためのデータとして送信データが入力される。エンコーダ１４は、入力された送信データに対して、例えば、マンチェスタ符号、モディファイドミラーやＮＲＺ等に対応したエンコード処理を行って符号列を生成する。生成された符号列は、変調/送信部１５及び負荷変調部１６に供給される。
【００４４】
変調/送信部１５は、入力された符号列に基づき所定の周波数の搬送波信号を所定の変調方式（例えばＡＳＫ、ＰＳＫ、ＱＡＭ変調等）で変調し、変調信号を増幅してループアンテナ１１を電流駆動する。従って、変調/送信部１５は、自己のループアンテナ１１から発生された情報が変調されている電磁波を通信相手のループアンテナに放射し、通信相手に情報を送信することができる。
【００４５】
負荷変調部１６は、入力された符号列に基づき、ループアンテナ１１をコイルとして見たときの当該ループアンテナ１１のインピーダンスを変化させることにより、負荷変調を行う。従って、負荷変調部１６は、通信相手のループアンテナの周囲に所定の周波数の磁界が形成されており、且つ、自己のループアンテナ１１が当該磁界内に入っていれば、通信相手のループアンテナの電流を変化させて、通信相手に情報を送信することができる。
【００４６】
搬送波出力部１７は、所定の周波数の搬送波に応じた信号を増幅してループアンテナ１１を電流駆動し、ループアンテナ１１から所定の周波数の情報が変調されていない電磁波を放射させる。このことにより、自己のループアンテナ１１の周囲に所定の周波数の磁界が形成される。従って、通信相手のループアンテナが当該磁界内に入っており、通信相手により負荷変調がされれば、自己のループアンテナ１１に流れる電流が変化し、通信相手から情報を受信することができる。
【００４７】
また、ＮＦＣ通信装置１０は、電源部１８と、制御部１９とを備えている。
【００４８】
電源部１８は、ＮＦＣ通信装置１０の各部、及び、当該ＮＦＣ通信装置１０が設けられている装置全体に対して直流（ＤＣ）電圧の供給を行う。電源部１８は、バッテリ等から電力が供給される場合にはその電力に基づきＤＣ電圧を生成する。電源部１８は、バッテリ等からの電力の供給がない場合には、ループアンテナ１１から電力を検出して、その電力に基づきＤＣ電圧を生成する。すなわち、電源部１８は、バッテリ等からの電力の供給がない場合には、通信相手から放射された電磁波の電力に基づきＤＣ電圧を生成する。
【００４９】
制御部１９は、ＮＦＣ通信装置１０を構成する各ブロックを制御する。
【００５０】
このようなＮＦＣ通信装置１０では、送信時と受信時とで次のような動作が行われる。
【００５１】
アクティブモードによるデータ送信時には、ＮＦＣ通信装置１０には、送信データが入力される。ＮＦＣ通信装置１０は、入力された送信データがエンコーダ１４によりエンコードされた後、変調/送信部１５によりループアンテナ１１が駆動される。アクティブモードによるデータ送信時には、エンコーダ１４及び変調/送信部１５が動作し、受信/復調部１２、デコーダ１３、負荷変調部１６及び搬送波出力部１７は動作していない。
【００５２】
パッシブモードによるデータ送信時には、ＮＦＣ通信装置１０には、送信データが入力される。ＮＦＣ通信装置１０は、入力された送信データがエンコーダ１４によりエンコードされた後、負荷変調部１６によりループアンテナ１１のインピーダンス切り換えがされる。パッシブモードによるデータ送信時には、エンコーダ１４及び負荷変調部１６が動作し、受信/復調部１２、デコーダ１３、変調/送信部１５及び搬送波出力部１７は動作していない。
【００５３】
なお、ＮＦＣ通信装置１０は、アクティブモード及びパッシブモードの両者を選択的に切り換えて送信を行ってもよいが、送信動作として、アクティブモードのみの送信動作又はパッシブモードのみの送信動作しか行えない装置であってもよい。アクティブモードのみの送信動作を行う場合は、負荷変調部１６が必要のない機能となるので、負荷変調部１６の機能を常時停止している構成としたり、負荷変調部１６を取り除いた構成としたりしてもよい。また、パッシブモードのみの送信動作を行う場合は、変調/送信部１５及び搬送波出力部１７が必要のない機能となるので、変調/送信部１５及び搬送波出力部１７の機能を常時停止している構成としたり、変調/送信部１５及び搬送波出力部１７を取り除いた構成としたりしてもよい。
【００５４】
また、通信相手がアクティブモードのデータ送信を行っている際の受信時には、通信相手から放射された電磁波によってループアンテナ１１に電流が流れる。ＮＦＣ通信装置１０は、ループアンテナ１１に流れる電流に基づき送信信号の受信及び復調を受信/復調部１２が行い、復調した信号をデコーダ１３がデコードして受信データを出力する。通信相手がアクティブモードでデータ送信を行っている際の受信時には、受信/復調部１２及びデコーダ１３が動作し、エンコーダ１４、変調/送信部１５、負荷変調部１６及び搬送波出力部１７は動作していない。
【００５５】
通信相手がパッシブモードのデータ送信を行っている際の受信時には、搬送波出力部１７により一定電力の一定周波数の電磁波（磁界）をループアンテナ１１から発生することによって、通信相手の負荷変調に応じた電流がループアンテナ１１に流れる。ＮＦＣ通信装置１０は、ループアンテナ１１に流れる電流に基づき送信信号の受信及び復調を受信/復調部１２が行い、復調した信号をデコーダ１３がデコードして受信データを出力する。通信相手がパッシブモードでデータ送信を行っている際の受信時には、受信/復調部１２、デコーダ１３及び搬送波出力部１７が動作し、エンコーダ１４、変調/送信部１５及び負荷変調部１６は動作していない。
【００５６】
なお、ＮＦＣ通信装置１０は、通信相手がアクティブモードである場合及びパッシブモードである場合の両者に対応した受信を行えるような構成であってもよいが、通信相手にアクティブモードのみの動作又は通信相手にパッシブモードのみの動作しか行わせない装置であってもよい。通信相手がアクティブモードのみの動作しか行わない場合は、搬送波出力部１７が必要のない機能となるので、搬送波出力部１７の機能を常時停止している構成としたり、搬送波出力部１７を取り除いた構成としたりしてもよい。
【００５７】
情報提供装置２及び携帯端末３には、以上のようなＮＦＣ通信装置及びその通信方式であるＮＦＣ通信方式が適用されている。
【００５８】
つぎに、データ転送システム１の具体的な利用例（第１の利用例〜第３の利用例）について説明をする。
【００５９】
図７に第１の利用例の概念図を示す。
【００６０】
第１の利用例は、ポスターからテレビの番組情報を携帯電話で取得し、取得した番組情報を自分のテレビジョン装置（ＴＶ装置）に反映させる例である。
【００６１】
まず、街中の宣伝広告用のポスター２０にテレビジョン番組の宣伝を記載しておくとともに、そのポスター２０にＮＦＣ通信装置及びその番組に関する諸所の情報（番組情報）を記憶したメモリを設けておく（ステップＳ１１）。
【００６２】
続いて、そのポスター２０を見たユーザが、自分の携帯端末３の読出ボタン３-６を押しながらその携帯端末３をポスター２０に近接（タッチ）する。すると、ＮＦＣ通信によりポスター２０に記憶されている番組情報が、携帯端末３に転送される（ステップＳ１２）。
【００６３】
続いて、自宅に帰ったユーザは、自分の携帯端末３の書込ボタン３-５を押しながらその携帯端末３を自分のＴＶ装置（ＮＦＣ通信機能を有している装置）２１に近接（タッチ）する。すると、ＮＦＣ通信により自分の携帯端末３に記憶されていた番組情報が、ＴＶ装置２１に転送される（ステップＳ１３）。
【００６４】
続いて、例えば、ユーザがその番組情報を表示して例えば録画予約をしたり、ビデオサーバ２２が毎週自動録画を行う番組リストに追加したりする（ステップＳ１４）。
【００６５】
図８に第２の利用例の概念図を示す。
【００６６】
第２の利用例は、第３者の所有する携帯電話からメールで送られたテレビの番組情報を自分の携帯電話で取得し、取得した番組情報を自分のＴＶ装置に反映させる例である。
【００６７】
まず、第３者の携帯電話２３からメールでテレビジョン番組に関する諸所の情報（番組情報）が転送され、自分の携帯端末３にその番組情報を保存しておく（ステップＳ２１）。
【００６８】
続いて、自分の携帯端末３の書込ボタン３-５を押しながらその携帯端末３を自分のＴＶ装置２１に近接（タッチ）する。すると、ＮＦＣ通信により自分の携帯端末３に記憶されていた番組情報が、ＴＶ装置２１に転送される（ステップＳ２２）。
【００６９】
続いて、例えば、ユーザがその番組情報を表示して例えば録画予約をしたり、ビデオサーバ２２が毎週自動録画を行う番組リストに追加したりする（ステップＳ２３）。
【００７０】
図９に第３の利用例の概念図を示す。
【００７１】
第３の利用例は、第３者の所有する携帯電話からＮＦＣ通信でテレビの番組情報を自分の携帯電話で取得し、取得した番組情報を自分のＴＶ装置に反映させる例である。
【００７２】
まず、第３者の携帯電話２３にはテレビジョン番組に関する諸所の情報（番組情報）が記憶されている（ステップＳ３１）。また、第３者の携帯電話２３は、ＮＦＣ通信機能を有している。
【００７３】
続いて、自分の携帯端末３の読出ボタン３-６を押しながらその携帯端末３を第３者の携帯電話２３に近接（タッチ）する。すると、ＮＦＣ通信により第３者の携帯電話２３に記憶されている番組情報が、自分の携帯端末３に転送される（ステップＳ３２）。
【００７４】
続いて、自宅に帰ったユーザは、自分の携帯端末３の書込ボタン３-５を押しながらその携帯端末３を自分のＴＶ装置２１に近接（タッチ）する。すると、ＮＦＣ通信により自分の携帯端末３に記憶されていた番組情報が、ＴＶ装置２１に転送される（ステップＳ３３）。
【００７５】
続いて、例えば、ユーザがその番組情報を表示して例えば録画予約をしたり、ビデオサーバ２２が毎週自動録画を行う番組リストに追加したりする（ステップＳ３４）。
【００７６】
以上の第１〜第３の利用例で示すようにデータ転送システム１は、非常に簡単にデータの書き込み及び読み出しを行うことができる。
【００７７】
つぎに、携帯端末３の変形例について説明をする。
【００７８】
上述した携帯端末３には、筐体主面に書込ボタン３-５及び読出ボタン３-６が設けられていた。しかしながら、このような物理的なボタンに限らず、表示部上に表示されたソフトウェアボタンで、書込ボタン３-５及び読出ボタン３-６と同一の機能を実現してもよい。
【００７９】
例えば、図１０に示す携帯端末３０では、ソフトウェアボタンにより書込ボタン３-５及び読出ボタン３-６の機能を実現している。すなわち、携帯端末３０は、液晶表示部３１の例えば下辺付近に、書込ソフトウェアボタン３２-１及び読出ソフトウェアボタン３２-２を表示する。携帯端末３０には、回転押圧スイッチ（ジョグダイヤル）３３や、右方向キー３４、左方向キー３５等の操作入力部が設けられており、これらを操作することにより、液晶表示部３１上に表示されているカーソルやフォーカスを移動させることができる。携帯端末３０は、操作入力部を用いてカーソルやフォーカスを移動させることにより、液晶表示部３１上に表示されている書込ソフトウェアボタン３２-１及び読出ソフトウェアボタン３２-２が選択されると、書込ボタン３-５及び読出ボタン３-６が押された場合と同一の処理を行う。
【００８０】
また、書込ボタン３-５及び読出ボタン３-６を設けずに、角速度センサ等の移動方向を検出できるセンサを設けて、ＮＦＣ通信による通信可能距離となったのちの携帯端末のアクションにより、書込ボタン３-５及び読出ボタン３-６と同一の機能を実現してもよい。
【００８１】
例えば、図１１及び図１２に示す携帯端末４０では、ユーザのアクションにより書込ボタン３-５及び読出ボタン３-６の機能を実現している。携帯端末４０には、筐体内の上部位置に角速度センサ４１を備えている。角速度センサ４１は、携帯端末４０の上部分が、図１１に示すようなＸ１方向に所定の加速度以上で移動したか、図１２に示すようなＸ２方向に所定の加速度以上で移動したかを検出する。なお、Ｘ１方向は、表示部や操作入力部が設けられた主面４２と垂直な方向であり、主面４２から裏面側に向かう方向であり、Ｘ２方向は、Ｘ１方向の逆方向である。また、Ｘ１方向及びＸ２方向は、下端面４３を中心に、角速度センサ４１が回転する方向であってもよい。
【００８２】
携帯端末４０では、情報提供装置２に近接した状態（ＮＦＣ通信により通信可能距離となっている状態）で、且つ、筐体裏面を情報提供装置２側に向けた状態のときに、図１３に示すように、さらに筐体を情報提供装置２に近接させるアクション（送信アクション）が行われたか否かを、角速度センサ４１の検出結果に基づき判断する。判断の結果、送信アクションが行われた場合には、携帯端末４０は内部のデータを情報提供装置２に送信する。また、携帯端末４０では、情報提供装置２に近接した状態（ＮＦＣ通信により通信可能距離となっている状態）で、且つ、筐体裏面を情報提供装置２側に向けた状態のときに、図１４に示すように、さらに筐体を情報提供装置２から離隔させるアクション（受信アクション）が行われたか否かを、角速度センサ４１の検出結果に基づき判断する。判断の結果、その受信アクションが行われた場合には、携帯端末４０は情報提供装置２からデータを受信する。
【００８３】
このようにユーザのアクションにより情報の読み出し及び書き込みが可能となると、より直感的でわかりやすい情報の転送を実現することができる。
【００８４】
また、例えば、携帯端末３を情報提供装置２に近接させた状態で、書込ボタン３-５又は読出ボタン３-６を誤って押してしまった場合、ユーザの意に反して情報の読み出しや書き込みが行われてしまう。
【００８５】
そこで、このようなことが起こらないように、携帯端末３にプロテクト機能を設けてもよい。プロテクト機能は、例えば、ソフトウェアスイッチや物理的なボタンにより実現することができる。
【００８６】
携帯端末３は、プロテクト機能をオンとした場合、書込ボタン３-５又は読出ボタン３-６を押した状態で情報提供装置２と近接したとしても、情報提供装置２からの情報の取得要求又は情報の書込み要求に対して許可をせず、情報の送信及び受信を禁止する。一方、プロテクト機能をオフとした場合には、書込ボタン３-５又は読出ボタン３-６を押した状態で情報提供装置２と近接すると、情報提供装置２からの情報の取得要求又は情報の書込み要求に対して許可をして、情報の送信及び受信を可能とする。
【００８７】
携帯端末３に以上のようなプロテクト機能を設けることによって、ユーザの意思に反した情報の読み出しや書き込みが行われず、セキュリティの向上を図ることができる。なお、このようなプロテクト機能は、携帯端末３に限らず、ＮＦＣ通信装置の全てに適用することができる。
【図面の簡単な説明】
【００８８】
【図１】本発明を適用したデータ転送システムの概念図である。
【図２】本発明を適用したデータ転送システムのブロック構成図である。
【図３】データの書き込み時の動作の説明図である。
【図４】データの読み出し時の動作の説明図である。
【図５】ＮＦＣ通信システムの構成図である。
【図６】ＮＦＣ通信装置のブロック構成図である。
【図７】データ転送システムの第１の利用例を説明するための図である。
【図８】データ転送システムの第２の利用例を説明するための図である。
【図９】データ転送システムの第３の利用例を説明するための図である。
【図１０】ソフトウェアボタンを設けた携帯端末を示す図である。
【図１１】携帯端末を主面側から裏面側に移動させるアクションを示す図である。
【図１２】携帯端末を裏面側から主面側に移動させるアクションを示す図である。
【図１３】携帯端末により情報提供装置に対して送信アクションを行っている状態を示す図である。
【図１４】携帯端末により情報提供装置に対して受信アクションを行っている状態を示す図である。
【符号の説明】
【００８９】
１  データ転送システム、２  情報提供装置、３  携帯端末、３-２  ＮＦＣ通信装置、３-５  書込ボタン、３-６  読出ボタン
【図１】
2005045557.tif 000003
【図２】
2005045557.tif 000004
【図３】
2005045557.tif 000005
【図４】
2005045557.tif 000006
【図５】
2005045557.tif 000007
【図６】
2005045557.tif 000008
【図７】
2005045557.tif 000009
【図８】
2005045557.tif 000010
【図９】
2005045557.tif 000011
【図１０】
2005045557.tif 000012
【図１１】
2005045557.tif 000013
【図１２】
2005045557.tif 000014
【図１３】
2005045557.tif 000015
【図１４】
2005045557.tif 000016